(57)【特許請求の範囲】
【請求項１】
コールセンターのオペレータが操作するクライアント端末と、
前記クライアント端末に対応した自電話機と、
前記クライアント端末および前記自電話機が接続され、電話網を介して外部の電話機からの接続処理を行うコールセンターサーバとを備え、
前記クライアント端末は、
前記コールセンターのオペレータ処理を行う業務処理部と、
前記クライアント端末が一定時間無操作状態となった場合に、前記クライアント端末の表示をスクリーンセーバ状態にするスクリーンセーバ機能と、
前記スクリーンセーバ機能による前記クライアント端末のスクリーンセーバ状態および前記自電話機の非通話状態が共に起きた場合に、その状態の継続時間と、前記クライアント端末に対応して設定されたシャットダウン規定値に基づいて、前記業務処理部に対して、シャットダウンを指示するシャットダウン処理部とを有することを特徴とするコールセンター業務システム。
【請求項２】
請求項１に記載のコールセンター業務システムにおいて、
前記シャットダウン処理部は、前記シャットダウン規定値を格納したシャットダウン規定値テーブル、および前記コールセンターサーバから取得した前記自電話機の通話状態を格納した自電話機通話状態テーブルを有することを特徴とするコールセンター業務システム。
【請求項３】
請求項１に記載のコールセンター業務システムにおいて、
前記業務処理部は、前記シャットダウン処理部からの指示によるシャットダウンに伴って占有していた前記オペレータ処理に関するリソースを解放することを特徴とするコールセンター業務システム。
【発明の詳細な説明】
【技術分野】
【０００１】
本発明は、コールセンター業務システムに関し、特に、コールセンター業務にてオペレータが長時間離席した時に、コールセンター業務システムをシャットダウンする機能に関するものである。
【背景技術】
【０００２】
従来の技術では、コールセンター業務システムをシャットダウンさせるための方法として様々な考案がされてきた。
【０００３】
例えば、クライアントがサーバのリソースをリモートマウントする際、メッセージによってサーバに通知し、かつサーバをシャットダウンする際、そのクライアントからサーバへリソースをリモートマウントしたことを通知するメッセージが存在していれば操作卓画面に警告メッセージを出力するという方式がある。この方式では、クライアントがサーバのリソースをリモートマウントしたままサーバをシャットダウンしてしまう危険を回避することが非常に容易になり、サーバやクライアントのリソースを破壊することなく安全にサーバをシャットダウンすることができる［特開平５−２５０２９７号公報（特許文献１）参照］。
【０００４】
また、計算機を使用するユーザはシステム停止時刻を認識し、かつシステムが停止する前に実行中の処理を終了させることが可能になり、システム停止に伴うデータの整合性が損なわれる危険を回避することができる［特開平９−１９０２３４号公報（特許文献２）参照］。
【０００５】
また、事務所内に設定される情報処理装置と電波検知器があり、さらに、対象人物には、個人を識別するために特定の電波を発信するワイヤレスの発信機が付けられている。情報処理装置の電波検知器が、対象人物が付けているワイヤレスの発信機との距離から電波検出レベルを判定して、情報処理装置の電源状態を電源ＯＮ、休止モード、シャットダウン→電源ＯＦＦのいずれかに移行することができる［特開２００７−２０２２８３号公報（特許文献３）参照］。
【先行技術文献】
【特許文献】
【０００６】
【特許文献１】特開平５−２５０２９７号公報
【特許文献２】特開平９−１９０２３４号公報
【特許文献３】特開２００７−２０２２８３号公報
【発明の概要】
【発明が解決しようとする課題】
【０００７】
一般的なコールセンター業務では、個人情報を取り扱うため、情報セキュリティに対する対応が求められる。オペレータ不在時に、他者による業務システムの操作が行われないよう、オペレータの不在を検知した時に、業務システムがシャットダウンされることが望ましい。
【０００８】
また、顧客から受け取った依頼票などのリソースをコンピュータ処理する際、リソースは特定のオペレータにより排他制御が行われ、排他中は、他のオペレータがそのリソースを処理することができない。そのため、オペレータがリソースの排他を行ったまま長時間離席した場合、リソースの処理が滞ることになり、離席時にはリソースが解放されることが望ましいが、従来の技術では、次の問題があった。
【０００９】
例えば、特許文献１に記載のものでは、クライアントに警告を表示しリソースの解放を行うが、オペレータが離席していると警告を見ることができず、長時間リソースの解放が行えないという課題がある。また、オペレータが着席中であれば、リソースを利用するのは当然であるため、確認を行うことは、オペレータにとって手間がかかるという問題がある。
【００１０】
また、特許文献２に記載のものでは、予め決められた時刻にシャットダウンを行うため、顧客対応中であってもシャットダウンが発生する場合があるという問題がある。
【００１１】
また、特許文献３に記載のものでは、オペレータがワイヤレス発信機を持ち歩かなければならず、例えばワイヤレス発信機を自席付近に置き忘れた場合、シャットダウンが行われないという問題がある。また、オペレータ毎にワイヤレス発信機を用意する必要がある。
【００１２】
そこで本発明の代表的な目的は、コールセンター業務システムのクライアント端末のオペレータが長時間離席をした場合に、クライアント端末の業務システムをシャットダウンさせ、占有しているリソースの解放を行うことができるコールセンター業務システムを提供することにある。
【００１３】
本発明の前記ならびにその他の目的と新規な特徴は、本明細書の記述および添付図面から明らかになるであろう。
【課題を解決するための手段】
【００１４】
本願において開示される発明のうち、代表的なものの概要を簡単に説明すれば、次の通りである。
【００１５】
すなわち、代表的なものの概要は、コールセンターのオペレータが操作するクライアント端末と、クライアント端末に対応した自電話機と、クライアント端末および自電話機が接続され、電話網を介して外部の電話機からの接続処理を行うコールセンターサーバとを備え、クライアント端末は、コールセンターのオペレータ処理を行う業務処理部と、クライアント端末が一定時間無操作状態となった場合に、クライアント端末の表示をスクリーンセーバ状態にするスクリーンセーバ機能と、スクリーンセーバ機能によるクライアント端末のスクリーンセーバ状態および自電話機の非通話状態が共に起きた場合に、その状態の継続時間と、クライアント端末に対応して設定されたシャットダウン規定値に基づいて、業務処理部に対して、シャットダウンを指示するシャットダウン処理部とを有するものである。
【発明の効果】
【００１６】
本願において開示される発明のうち、代表的なものによって得られる効果を簡単に説明すれば以下の通りである。
【００１７】
すなわち、代表的なものによって得られる効果は、特別な機器を用意することなく、コールセンターにてオペレータ毎に通常用意されるクライアント端末と、自電話機を用いることで、オペレータが長時間離席したことを検知することができる。これにより、オペレータが長時間離席している場合は、システムのシャットダウンが行え、リソースの解放も行えるため、処理されないリソースの解放時間を短くすることができるようになり、コールセンターの業務効率向上が可能となる。
【００１８】
また、端末に表示していた個人情報やリソースも消えるため、情報セキュリティの確保も実現することができる。
【図面の簡単な説明】
【００１９】
【図１】本発明の一実施の形態に係るコールセンター業務システムの構成を示す構成図である。
【図２】本発明の一実施の形態に係るコールセンター業務システムで使用されるテーブルの一例を示す図である。
【図３】本発明の一実施の形態に係るコールセンター業務システムの全体処理を説明するための構成図である。
【図４】本発明の一実施の形態に係るコールセンター業務システムの業務システムの動作を示すフローチャートである。
【図５】本発明の一実施の形態に係るコールセンター業務システムのシャットダウンシステムの動作を示すフローチャートである。
【発明を実施するための形態】
【００２０】
以下、本発明の実施の形態を図面に基づいて詳細に説明する。なお、実施の形態を説明するための全図において、同一の部材には原則として同一の符号を付し、その繰り返しの説明は省略する。
【００２１】
＜コールセンター業務システムの構成＞
図１および図２により、本発明の一実施の形態に係るコールセンター業務システムの構成について説明する。図１は、本発明の一実施の形態に係るコールセンター業務システムの構成を示す構成図、図２は本発明の一実施の形態に係るコールセンター業務システムで使用されるテーブルの一例を示す図であり、図２（ａ）はシャットダウン規定値テーブル１１０、図２（ｂ）はシャットダウンカウンタテーブル１１１、図２（ｃ）は自電話機通話状態テーブル１１２を示している。
【００２２】
図１において、コールセンター業務システムは、クライアント端末１０１と、自電話機１０２と、ネットワーク１０３、１０４と、コールセンターサーバ１０５と、電話網１０６と、相手電話機１０７とから構成されている。
【００２３】
さらに、クライアント端末１０１は、コールセンター業務の各種処理を行う業務処理部である業務システム１０８と、業務システム１０８のシャットダウン処理を行うシャットダウン処理部であるシャットダウンシステム１０９と、スクリーンセーバ機能１１５を有するオペレーティングシステム１１４とから構成されている。
【００２４】
また、シャットダウンシステム１０９は、図２に示すような、シャットダウン規定値が格納されるシャットダウン規定値テーブル１１０と、離席状態の時間を測るためのシャットダウンカウンタテーブル１１１と、自電話機の状態が格納される自電話機通話状態テーブル１１２を有している。
【００２５】
図２（ａ）〜図２（ｃ）に示すように、シャットダウン規定値テーブル１１０、シャットダウンカウンタテーブル１１１、自電話機通話状態テーブル１１２は、それぞれ、クライアント端末の番号に対応した、項目名、項目名の内容、項目名に対応したデータが格納されている。
【００２６】
例えば、シャットダウン規定値テーブル１１０は、図２（ａ）に示すように、項目名として、「シャットダウン規定値」が格納され、内容に「スクリーンセーバが起動してから、シャットダウンを行うまでの時間間隔［分］」が格納され、シャットダウン規定値のデータとして「３０」が格納されている。
【００２７】
また、シャットダウンカウンタテーブル１１１は、図２（ｂ）に示すように、項目名として、「シャットダウンカウンタ」が格納され、内容に「スクリーンセーバが起動してからの積算時間［分］」が格納され、シャットダウンカウンタのデータとして、「０」が格納されている。
【００２８】
また、自電話機通話状態テーブル１１２は、図２（ｃ）に示すように、項目名として、「通話状態区分」が格納され、内容に「自電話機の通話状態を保持する（状態には「通話中」と「切電」がある）」が格納され、通話状態区分のデータとして、「通話中」が格納されている。
【００２９】
また、オペレーティングシステム１１４は、ＧＵＩ（Ｇｒａｐｈｉｃａｌ  Ｕｓｅｒ  Ｉｎｔｅｒｆａｃｅ）フロントエンドで、オペレータ１１６の指示によるシステムの起動、あるいはオペレータ１１６または業務システム１０８の指示によるプログラム終了を行う。
【００３０】
スクリーンセーバ機能１１５は、一定時間、キーボード、マウスの無操作状態が続いた時に、クリーンセーバを起動し、例えば、モニタなどの表示画面をスクリーンセーバ状態にし、キーボード、マウスの操作を行うことで終了する。また、業務システム１０８からの要求で、スクリーンセーバの起動状態を監視し、起動もしくは中止するインタフェースを有する。
【００３１】
業務システム１０８は、シャットダウンシステム１０９とは別のスレッド（ｔｈｒｅａｄ）で動作し、オペレータ１１６が業務で利用できる機能および、オペレータ１１６の指示により自システムのシャットダウン通知を行うことができるものとする。自電話機１０２は、オペレータ１１６が業務で利用する電話機で、クライアント端末１０１はオペレータ１１６が操作可能な場所に設置されている。
【００３２】
コールセンターサーバ１０５は、ネットワーク１０３、１０４を通してクライアント端末１０１と自電話機１０２、電話網１０６を通じて相手電話機１０７と接続している。自電話機１０２と相手電話機１０７の通話状態を適宜確認し、通話状態が変わった場合、クライアント端末１０１へ通話状態を通知する通話状態通知機能を持つ。
【００３３】
通話状態は、「通話中」、「切電」があり、自電話機１０２と相手電話機１０７が通話可能な状態を「通話中」、発信中／着信中／切電の状態はすべて「切電」とする。コールセンターサーバ１０５がクライアント端末１０１に通知した通話状態は、自電話機通話状態テーブル１１２に格納する。
【００３４】
なお、相手電話機１０７は、自電話機１０２に対して発着信を行う任意の電話機を指す。
【００３５】
＜コールセンター業務システムのシャットダウン動作の概要＞
本実施の形態では、図１に示す構成により、クライアント端末１０１からオペレータ１１６が長時間離席した時に、情報セキュリティ確保やリソースの解放を目的として、業務システム１０８をシャットダウンさせている。
【００３６】
なお、オペレータ１１６が離席しているという状態とは、オペレーティングシステム１１４のスクリーンセーバ機能１１５が起動しており、かつ自電話機１０２が通話状態でない状態とする。この状態が一定時間続いた場合、長時間離席としているものとして扱い、業務システム１０８のシャットダウンを行う。
【００３７】
この動作を実現するために、本実施の形態では、クライアント端末１０１に、シャットダウンシステム１０９を持つ業務システム１０８を導入している。シャットダウンシステム１０９は、コールセンターサーバ１０５を通じて取得した自電話機１０２の状態と、スクリーンセーバ機能１１５の起動状態から、オペレータ１１６の離席状態を確認する。
【００３８】
離席状態の時間を測るシャットダウンカウンタテーブル１１１のシャットダウンカウンタが、シャットダウン規定値テーブル１１０のシャットダウン規定値を超えた場合、業務システム１０８をシャットダウンする。
【００３９】
そして、業務システム１０８がシャットダウンすると、業務システムが占有していた顧客から受け取った依頼票などのリソースのコンピュータ処理が解放されるようになっている。
【００４０】
＜コールセンター業務システムの全体処理＞
次に、図３により、本発明の一実施の形態に係るコールセンター業務システムの全体処理について説明する。図３は本発明の一実施の形態に係るコールセンター業務システムの全体処理を説明するための構成図である。
【００４１】
まず、ステップＳ１０１の起動指示により、オペレータ１１６の操作が行われ、ステップＳ１０２にて業務システム１０８が起動するようにオペレーティングシステム１１４へ指示を出す。
【００４２】
業務システム起動指示のステップＳ１０２は、オペレータ１１６より指示を受けたオペレーティングシステム１１４が、業務システム１０８のスレッドを立ち上げ、業務システム１０８を起動する。ステップＳ１０３にてシャットダウンシステム起動は、業務システム１０８が自スレッドとは別のスレッドで、シャットダウンシステム１０９のスレッドを立ち上げ、シャットダウンシステム１０９を起動する。
【００４３】
ステップＳ１０４で業務システム１０８の業務プログラムを実行し、オペレータ１１６が業務処理を行うための機能を提供する。
【００４４】
ステップＳ１０５にて、オペレータシャットダウン指示は、オペレータ１１６が業務システム１０８を終了させるため、終了指示を行う。
【００４５】
また、ステップＳ１０３でのシャットダウンシステム起動により、ステップＳ１０７にてシャットダウンシステム１０９が実行される。この時にオペレータ１１６の離席状態をスクリーンセーバ機能１１５と自電話機１０２の状態から判断する。ステップＳ１０７でのシャットダウンシステム１０９により、オペレータ１１６が長時間離席していると判断した場合には、ステップＳ１０８にて、業務システム１０８へシャットダウンの指示を行う。
【００４６】
また、ステップＳ１０５にてオペレータシャットダウン指示が発せられ、オペレータのシャットダウン指示、またはステップＳ１０８のシャットダウンシステム１０９によるシャットダウン指示により、ステップＳ１０６にて、業務システム１０８のスレッドを停止し、プログラムの終了処理を行う。
【００４７】
＜コールセンター業務システムの業務システムの動作＞
次に、図４により、本発明の一実施の形態に係るコールセンター業務システムの業務システムの動作について説明する。図４は本発明の一実施の形態に係るコールセンター業務システムの業務システムの動作を示すフローチャートである。
【００４８】
まず、ステップＳ２０１にて、業務システム１０８の起動指示が実行される。これに伴うオペレータ１１６の操作により、業務システム１０８の起動をオペレーティングシステム１１４に指示する。そして、ステップＳ２０２により業務システム１０８が起動し実行される。この処理によりオペレーティングシステム１１４が、業務システム１０８のスレッドを起動する。
【００４９】
次に、ステップＳ２０３にてシャットダウンシステム１０９の起動が実行される。業務システム１０８が、自身の業務システム１０８とは別スレッドでシャットダウンシステム１０９を起動する。
【００５０】
そして、ステップＳ２０４のシャットダウン指示確認では、業務システム１０８または、シャットダウンシステム１０９がシャットダウンを要求した場合（Ｙｅｓ）、プログラム終了へ遷移する。シャットダウン要求がない場合（Ｎｏ）、ステップＳ２０４のシャットダウン指示確認に戻り、プログラムを続行する。
【００５１】
＜コールセンター業務システムのシャットダウンシステムの動作＞
次に、図５により、本発明の一実施の形態に係るコールセンター業務システムのシャットダウンシステムの動作について説明する。図５は本発明の一実施の形態に係るコールセンター業務システムのシャットダウンシステムの動作を示すフローチャートである。
【００５２】
まず、ステップＳ３０１ではシャットダウン規定値テーブル１１０の内容の読込動作によって、シャットダウン規定値テーブル１１０より、シャットダウン規定値を読み込み、例えば、クライアント端末１０１内の主記憶装置などに記憶させる。この記憶内容は、スクリーンセーバが起動してから、シャットダウンを行うまでの時間間隔であり、この例では図２（ａ）に示すように、３０分にセットされる。
【００５３】
次に、ステップＳ３０２のシャットダウンカウンタリセットのステップは、シャットダウンカウンタテーブル１１１のシャットダウンカウンタに「０」を設定する。これは、図２（ｂ）のシャットダウンカウンタテーブル１１１に示されるデータ形式であり、スクリーンセーバが起動してからの積算時間を記憶する。この例では「０」分の設定としている。
【００５４】
次に、ステップＳ３０３の待機状態のステップは、１分間待機し、ステップＳ３０４の通話状態通知を確認する動作へ遷移する。これは、シャットダウン規定値テーブル１１０、シャットダウンカウンタテーブル１１１のシャットダウンカウンタの単位が「分」単位に設定してあるために実施している。
【００５５】
次に、ステップＳ３０４の通話状態通知を取得のステップにおいて、コールセンターサーバ１０５が自電話機１０２の通話状態に変更があったことを通知した内容を、クライアント端末１０１が受信したかを確認する。
【００５６】
そして、ステップＳ３０５の通話状態受信確認のステップでは、ステップＳ３０４の通話状態通知を確認して、クライアント端末が通知を受信していた場合はステップＳ３０６の通話状態通知を記憶へ遷移し（Ｙｅｓ）、受信していない場合はステップＳ３０７の通話状態を取得へ遷移する（Ｎｏ）。
【００５７】
次に、ステップＳ３０６の通話状態通知を記憶するステップでは、コールセンターサーバ１０５が通知した自電話機１０２の通話状態を、自電話機通話状態テーブル１１２の通話状態区分に設定を行う。この設定は、図２（ｃ）の自電話機通話状態テーブル１１２の通話状態区分の設定である。通話状態区分では自電話機１０２の通話状態を保持して、通話状態は「通話中」として区分している。なお、状態には「通話中」と「切電」の２種がある。
【００５８】
次に、ステップＳ３０７の通話状態を取得するステップでは、自電話機通話状態テーブル１１２内の通話状態区分の取得を行う。
【００５９】
そしてステップＳ３０８の通話中の確認のステップでは、ステップＳ３０７の通話状態を取得するステップで取得した通話状態区分が「通話中」の場合、ステップＳ３０２のシャットダウンカウンタリセットへ遷移し（Ｙｅｓ）、「通話中」以外ではステップＳ３０９のスクリーンセーバ起動状態を取得するステップへ遷移する（Ｎｏ）。
【００６０】
ステップＳ３０９のスクリーンセーバ起動状態を取得するステップでは、スクリーンセーバ機能１１５からスクリーンセーバの起動状態の取得を行う。
【００６１】
次に、ステップＳ３１０のスクリーンセーバの起動確認のステップでは、ステップＳ３０９のスクリーンセーバの起動状態の有無を取得して、スクリーンセーバが起動状態であると取得された場合、ステップＳ３１１のシャットダウンカウンタを加算へ遷移し（Ｙｅｓ）、スクリーンセーバ未起動の場合は、ステップＳ３０２のシャットダウンカウンタリセットへ遷移する（Ｎｏ）。
【００６２】
ステップＳ３１１のシャットダウンカウンタを加算するステップでは、シャットダウンカウンタテーブル１１１のシャットダウンカウンタに「１」を加算する。
【００６３】
次に、ステップＳ３１２のシャットダウン規定値判定のステップでは、シャットダウンカウンタテーブル１１１のシャットダウンカウンタと、シャットダウン規定値テーブル１１０のシャットダウン規定値を比較し、シャットダウンカウンタ≧シャットダウン規定値となった時、ステップＳ３１３のシャットダウン指示のステップへ遷移し（Ｙｅｓ）、達していない場合は、ステップＳ３０３の待機へ遷移する（Ｎｏ）。
【００６４】
なお、ステップＳ３１３のシャットダウン指示は、図４のステップＳ２０４に示すように、シャットダウン指示有無確認にて終了処理へ遷移する指示を業務システム１０８へ行う。
【００６５】
以上のように、本実施の形態では、クライアント端末１０１で起動されるシャットダウンシステムにより、クライアント端末のスクリーンセーバが一定時間起動しており、かつオペレータの電話機が通話中でない場合に、オペレータ長時間離席していると判断し、業務システムのシャットダウンを行うようにしたので、特別な機器を用意することなく、オペレータが長時間離席したことを検知することができ、オペレータが長時間離席した場合の、業務システムのシャットダウンを容易に行うことができる。
【００６６】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００６７】
本発明は、コールセンター業務にてオペレータが長時間離席した時に、コールセンター業務システムをシャットダウンする必要のある装置やシステムに広く適用可能である。
【符号の説明】
【００６８】
１０１…クライアント端末、１０２…自電話機、１０３…ネットワーク、１０４…ネットワーク、１０５…コールセンターサーバ、１０６…電話網、１０７…相手電話機、１０８…業務システム、１０９…シャットダウンシステム、１１０…シャットダウン規定値テーブル、１１１…シャットダウンカウンタテーブル、１１２…自電話機通話状態テーブル、１１４…オペレーティングシステム、１１５…スクリーンセーバ機能、１１６…オペレータ。
【図１】
0005770126.tif 000002
【図２】
0005770126.tif 000003
【図３】
0005770126.tif 000004
【図４】
0005770126.tif 000005
【図５】
0005770126.tif 000006